(57)【特許請求の範囲】
【請求項１】
対向する第１，第２の板部材と，前記第１，第２の板部材を接続する複数の第３の板部材と，で形成される空間内で燃料ガスを改質する改質器と，
前記第１の板部材の上，または前記第１の板部材に沿って配置され，前記改質された燃料ガスによる発電後の残余の燃料ガスと，発電後の残余の酸化剤ガスと，を混合して混合ガスを生成する補助部と，
一の第３の板部材および前記第２の板部材それぞれの上，またはそれぞれに沿って配置され，前記混合ガスを順に流して，燃焼する第１，第２の燃焼室を有する燃焼器と，
を具備することを特徴とする固体酸化物形燃料電池用補助器。
【請求項２】
前記補助部が，
前記残余の燃料ガスを流す第１の流路と，
前記第１の流路での前記残余の燃料ガスの流れに沿って，前記残余の酸化剤ガスを流す第２の流路と，
前記第１，第２の流路に接続され，前記第１，第２の流路から互いに沿って流入する前記残余の燃料ガスおよび前記残余の酸化剤ガスを合流させて，前記混合ガスを生成する補助室と，を有する
ことを特徴とする請求項１記載の固体酸化物形燃料電池用補助器。
【請求項３】
前記補助室が，
前記補助室から前記混合ガスを流出させる流出部と，
前記第１の流路から流入する前記残余の燃料ガスと，前記第２の流路から流入する前記残余の酸化剤ガスと，を反射して，前記流出部に向かう方向に，流れる方向を転換させる反射壁と，を有する，
ことを特徴とする請求項２記載の固体酸化物形燃料電池用補助器。
【請求項４】
前記第１の流路から流入する前記残余の燃料ガスの流量が前記第２の流路から流入する前記残余の酸化剤ガスの流量より小さく，
前記第１の流路の幅が前記第２の流路の幅より小さい，
ことを特徴とする請求項２または３に記載の固体酸化物形燃料電池用補助器。
【請求項５】
請求項１乃至４のいずれか１項に記載の固体酸化物形燃料電池用補助器と，
複数の固体酸化物形燃料電池セルを積層して構成され，前記改質された燃料ガスおよび酸化剤ガスにより発電し，前記残余の燃料ガスおよび前記残余の酸化剤ガスを排出する燃料電池スタックと，
を具備することを特徴とする固体酸化物形燃料電池。
【請求項６】
請求項１乃至４のいずれか１項に記載の固体酸化物形燃料電池用補助器と，
複数の固体酸化物形燃料電池セルを積層して構成され，前記改質された燃料ガスおよび酸化剤ガスにより発電し，前記残余の燃料ガスおよび前記残余の酸化剤ガスを排出する燃料電池スタックと，
前記燃料電池スタックでの発電状態を制御する制御部と，
を具備することを特徴とする固体酸化物形燃料電池システム。
【発明の詳細な説明】
【技術分野】
【０００１】
本発明は，固体酸化物形燃料電池セルを積層した固体酸化物形燃料電池スタックを備えた固体酸化物形燃料電池用の補助器，固体酸化物形燃料電池，および固体酸化物形燃料電池システムに関する。
【背景技術】
【０００２】
電解質に固体酸化物を用いた固体酸化物形燃料電池（以下ＳＯＦＣとも記す）が知られている。このＳＯＦＣは，例えば，板状の固体電解質体の各面に燃料極と空気極とを備えた燃料電池セルを多数積層したスタック（燃料電池スタック）を有する。燃料極および空気極それぞれに，燃料ガスおよび酸化剤ガス（例えば，空気中の酸素）を供給し，固体電解質体を介して化学反応させることで，電力を発生させる。
【０００３】
この固体酸化物形燃料電池は，６００〜１０００℃という高温で動作させるので，この運転温度を維持するための構造が必要になっている。このため，燃料電池スタック，第１，第２発熱器，空気予熱器，燃料改質器を積層，一体化した固体酸化物形燃料電池モジュールが開示されている（特許文献１参照）。
【０００４】
この固体酸化物形燃料電池モジュールでは，発電前での燃料の改質，発電後での残存燃料の燃焼が一体化した固体酸化物形燃料電池モジュール内で実行される。さらには第１，第２発熱器を燃料電池スタックの上下に分配して配置することにより，燃料電池スタックの効率的な熱マネージメントが可能となる。
【先行技術文献】
【特許文献】
【０００５】
【特許文献１】特開２００９−９３９２３号公報
【発明の概要】
【発明が解決しようとする課題】
【０００６】
この固体酸化物形燃料電池モジュールでは，積層した燃料電池スタック等を締結するためのボルトと貫通孔の間の空間を燃料ガスや酸化剤ガスの流路とする。この貫通孔は，ボルトを通して締結するための締結部でもあるため，その径の大きさに上限があり，流路での圧力損失の抑制に一定の限界がある。
【０００７】
このため，固体酸化物形燃料電池モジュールの出力が増加した場合，特に燃料極および空気極からのガスが合流する第１，第２発熱器以降で，ガス圧力が増大する可能性がある。ガス圧力の増大は，ポンプ出力の増加による動力損失，あるいは固体酸化物形燃料電池モジュールからのガスリークの原因となる可能性がある。
【０００８】
上記に鑑み，本発明は圧力損失の抑制及び排ガス燃焼熱利用率の向上が図られた固体酸化物形燃料電池用の補助器，固体酸化物形燃料電池，および固体酸化物形燃料電池システムを提供することを目的とする。
【課題を解決するための手段】
【０００９】
（１）本発明の一態様に係る固体酸化物形燃料電池用補助器は，対向する第１，第２の板部材と，前記第１，第２の板部材を接続する複数の第３の板部材と，で形成される空間内で燃料ガスを改質する改質器と，前記第１の板部材の上，または前記第１の板部材に沿って配置され，前記改質された燃料ガスによる発電後の残余の燃料ガスと，発電後の残余の酸化剤ガスと，を混合して混合ガスを生成する補助部と，一の第３の板部材および前記第２の板部材それぞれの上，またはそれぞれに沿って配置され，前記混合ガスを順に流して，燃焼する第１，第２の燃焼室を有する燃焼器と，を具備することを特徴とする。
改質器を構成する一の第３の板部材の上，またはこれに沿って，配置される第１の燃焼室が，改質器の上下間で混合ガスを流通させ，かつ燃焼させることから，補助器内でのガス圧力の損失低減および燃焼熱の利用率向上が可能となる。
【００１０】
（２）（１）において，前記補助部が，前記残余の燃料ガスを流す第１の流路と，前記第１の流路での前記残余の燃料ガスの流れに沿って，前記残余の酸化剤ガスを流す第２の流路と，前記第１，第２の流路に接続され，前記第１，第２の流路から互いに沿って流入する前記残余の燃料ガスおよび前記残余の酸化剤ガスを合流させて，前記混合ガスを生成する補助室と，を有しても良い。
第１，第２の流路から互いに沿って，残余の燃料ガスおよび残余の酸化剤ガスを補助室に流入させることで，これらのガスの混合が促進される。
【００１１】
（３）（２）において，前記補助室が，前記補助室から前記混合ガスを流出させる流出部と，前記第１の流路から流入する前記残余の燃料ガスと，前記第２の流路から流入する前記残余の酸化剤ガスと，を反射して，前記流出部に向かう方向に，流れる方向を転換させる反射壁と，を有しても良い。
反射壁で残余の燃料ガスおよび残余の酸化剤ガスを反射させることで，これらのガスの混合が促進される。
【００１２】
（４）（２）または（３）において，前記第１の流路から流入する前記残余の燃料ガスの流量が前記第２の流路から流入する前記残余の酸化剤ガスの流量より小さく，前記第１の流路の幅が前記第２の流路の幅より小さくても良い。
残余の燃料ガスおよび残余の酸化剤ガスの流速を対応させることで，これらのガスの混合が促進される。
【００１３】
（５）固体酸化物形燃料電池が，（１）〜（４）の固体酸化物形燃料電池用補助器と，複数の固体酸化物形燃料電池セルを積層して構成され，前記改質された燃料ガスおよび酸化剤ガスにより発電し，前記残余の燃料ガスおよび前記残余の酸化剤ガスを排出する燃料電池スタックと，を具備することを特徴とする。
（１）〜（４）に対応する作用効果を奏する固体酸化物形燃料電池が構成される。
【００１４】
（６）固体酸化物形燃料電池システムは，（１）〜（４）の固体酸化物形燃料電池用補助器と，複数の固体酸化物形燃料電池セルを積層して構成され，前記改質された燃料ガスおよび酸化剤ガスにより発電し，前記残余の燃料ガスおよび前記残余の酸化剤ガスを排出する燃料電池スタックと，前記燃料電池スタックでの発電状態を制御する制御部と，を具備することを特徴とする。
（１）〜（４）に対応する作用効果を奏する固体酸化物形燃料電池システムが構成される。
【発明の効果】
【００１５】
本発明によれば，圧力損失の抑制及び排ガス燃焼熱利用率の向上が図られた固体酸化物形燃料電池用の補助器，固体酸化物形燃料電池，および固体酸化物形燃料電池システムを提供できる。
【図面の簡単な説明】
【００１６】
【図１】本発明の一実施形態に係る燃料電池システム１０を表す斜視図である。
【図２】燃料電池スタック１００，補助器２００を表す分解斜視図である。
【図３】燃料電池スタック１００，補助器２００を表す一部断面図である。
【図４】燃料電池スタック１００を表す分解斜視図である。
【図５】補助器２００を表す上面図である。
【図６】補助器２００の第１層２１０を表す斜視図である。
【図７】補助器２００の第２層２２０を表す斜視図である。
【図８】補助器２００の第３層２３０を表す斜視図である。
【発明を実施するための形態】
【００１７】
以下，図面を参照して，本発明の実施の形態を詳細に説明する。
図１は，本発明の一実施形態に係る燃料電池システム１０を表す斜視図である。図２，図３はそれぞれ，燃料電池スタック１００，補助器２００を表す分解斜視図および一部断面図である。図３では，後述の貫通孔１１２，１１５を結ぶ線に沿って，燃料電池スタック１００を切断した状態を示している。
【００１８】
図１に示すように，燃料電池システム１０は，固体酸化物形燃料電池２０，制御部３０を有する。固体酸化物形燃料電池２０は，燃料ガスと酸化剤ガスの供給を受けて発電する装置であり，燃料電池スタック１００，補助器２００，発熱体３００を有する。
【００１９】
燃料ガスとしては，水素，還元剤となる炭化水素，水素と炭化水素との混合ガス，及びこれらのガスを所定温度の水中を通過させ加湿した燃料ガス，これらのガスに水蒸気を混合させた燃料ガス等が挙げられる。炭化水素は特に限定されず，例えば，天然ガス，ナフサ，石炭ガス化ガス等が挙げられる。この燃料ガスとしては水素が好ましい。これらの燃料ガスは１種のみを用いてもよいし，２種以上を併用することもできる。また，５０体積％以下の窒素及びアルゴン等の不活性ガスを含有していてもよい。
【００２０】
酸化剤ガスとしては，酸素と他の気体との混合ガス等が挙げられる。更に，この混合ガスには８０体積％以下の窒素及びアルゴン等の不活性ガスが含有されていてもよい。これらの酸化剤ガスのうちでは安全であって，且つ安価であるため，空気（約８０体積％の窒素が含まれている。）が好ましい。
【００２１】
制御部３０は，固体酸化物形燃料電池２０，特に，燃料電池スタック１００での発電状態を制御する。例えば，温度センサ（熱電対等）により燃料電池スタック１００の温度をモニタし，燃料電池スタック１００への燃料ガス（または酸化剤ガス）の供給量を変化させる。
【００２２】
燃料電池スタック１００は，略直方体形状をなし，上面１０１，底面１０２，貫通孔１１１〜１１８を有し，部材１２０が接続される。貫通孔１１１〜１１４は，上面１０１，底面１０２の辺近傍（後述の枠部１６０の辺近傍）を貫通し，貫通孔１１５〜１１８は，上面１０１，底面１０２の頂点近傍（後述の枠部１６０の頂点近傍）を貫通する。貫通孔１１１〜１１８にはそれぞれ，連結部材（締結具であるボルト４１〜４８，ナット５１〜５８）が取り付けられる。なお，ナット５３，５７は，判りやすさのために，図１〜図３いずれにおいても図示を省略している。
【００２３】
上面１０１側および底面１０２側それぞれでの貫通孔１１１の開口に，部材１２０および後述の部材２５０が配置される。部材１２０（部材１２１）の貫通孔，貫通孔１１１，および部材２５０の貫通孔２５４にボルト４１が挿通され，ナット５１がねじ込まれる。この結果，ボルト４１，ナット５１によって，部材１２０，燃料電池スタック１００，および補助器２００（部材２５０）が接続される。
【００２４】
部材１２０は，部材１２１，導入管１２２を有する。部材１２１は，略円筒形状をなし，略平面状の上面および底面，曲面状の側面，上面と底面間を貫通する貫通孔を有する。部材１２１の貫通孔と導入管１２２の内部とが連通する。
【００２５】
部材１２１の貫通孔と貫通孔１１１の径は略同一である。これらの径より，ボルト４１の軸の径が小さいことで，部材１２１の貫通孔とボルト４１の軸間，および貫通孔１１１とボルト４１の軸間を酸化剤ガス（空気）が通過する。即ち，酸化剤ガス（空気）が導入管１２２から流入し，部材１２１の貫通孔，および貫通孔１１１を経由して，燃料電池スタック１００内に流出する。
【００２６】
貫通孔１１１は部材２５０の貫通孔２５４と連通するが，部材２５０の下面２５２は，ナット５１によって封止される。この結果，底面１０２側の貫通孔１１１の開口からの酸化剤ガス（空気）の流入，流出が防止される。
【００２７】
貫通孔１１２および後述する部材２６０の貫通孔２６４にボルト４２が挿通され，ナット５２がねじ込まれる。この結果，ボルト４２，ナット５２によって，燃料電池スタック１００と補助器２００（部材２６０）が接続される。ここで，貫通孔１１２の径より，ボルト４２の軸の径が小さいことで，貫通孔１１２とボルト４２の軸間を発電後の残余の燃料ガスが通過する。即ち，貫通孔１１２は，燃料電池スタック１００から補助器２００に発電後の残余の燃料ガスを供給する流路として機能する。
【００２８】
貫通孔１１３および後述する部材２７０の貫通孔２７４にボルト４３が挿通され，ナット５３がねじ込まれる。この結果，ボルト４３，ナット５３によって，燃料電池スタック１００と補助器２００（部材２７０）が接続される。ここで，貫通孔１１３の径より，ボルト４３の軸の径が小さいことで，貫通孔１１３とボルト４３間を発電後の残余の酸化剤ガスが通過する。即ち，貫通孔１１３は，燃料電池スタック１００から補助器２００に発電後の残余の酸化剤ガスを供給する流路として機能する。
【００２９】
貫通孔１１４および後述の部材６０の貫通孔６４にボルト４４が挿通され，ナット５４がねじ込まれる。ここで，貫通孔１１４の径より，ボルト４４の軸の径が小さいことで，貫通孔１１４とボルト４４間を改質後の燃料ガスが通過する。即ち，貫通孔１１４は，補助器２００から燃料電池スタック１００に改質後の燃料ガスを供給する流路として機能する。
【００３０】
燃料電池スタック１００は，発電単位である平板形の燃料電池セル１５０が複数個積層されて構成される。複数個の燃料電池セル１５０が電気的に直列に接続される。
【００３１】
図４に示すように，前記燃料電池セル１５０は，いわゆる燃料極支持膜形タイプの燃料電池セルであり，上下一対の金属製のインターコネクタ１５１，１５２の間に，セル本体１５３が配置される。セル本体１５３とインターコネクタ１５１，１５２の間に，空気流路１５４，燃料ガス流路１５５が配置される。
セル本体１５３は，固体電解質体１５６の上下に，空気極（カソード）１５７，燃料極（アノード）１５８が積層されて構成される。空気極１５７とインターコネクタ１５１との間に，その導通を確保するために集電体１５９が配置されている。
【００３２】
固体電解質体１５６の材料としては，例えばＺｒＯ2系セラミック，ＬａＧａＯ3系セラミック，ＢａＣｅＯ３系セラミック，ＳｒＣｅＯ３系セラミック，ＳｒＺｒＯ３系セラミック，及びＣａＺｒＯ３系セラミック等が挙げられる。
【００３３】
空気極１５７の材料としては，例えば，各種の金属，金属の酸化物，金属の複酸化物等を用いることができる。金属としては，Ｐｔ，Ａｕ，Ａｇ，Ｐｄ，Ｉｒ，Ｒｕ及びＲｈ等の金属又は２種以上の金属を含有する合金が挙げられる。更に，金属の酸化物としては，Ｌａ，Ｓｒ，Ｃｅ，Ｃｏ，Ｍｎ及びＦｅ等の酸化物（Ｌａ２Ｏ３，ＳｒＯ，Ｃｅ２Ｏ３，Ｃｏ２Ｏ３，ＭｎＯ２及びＦｅＯ等）が挙げられる。また，複酸化物としては，少なくともＬａ，Ｐｒ，Ｓｍ，Ｓｒ，Ｂａ，Ｃｏ，Ｆｅ及びＭｎ等を含有する複酸化物（Ｌａ１−ｘＳｒｘＣｏＯ３系複酸化物，Ｌａ１−ｘＳｒｘＦｅＯ３系複酸化物，Ｌａ１−ｘＳｒｘＣｏ１−ｙＦｅｙＯ３系複酸化物，Ｌａ1−ｘＳｒｘＭｎＯ３系複酸化物，Ｐｒ１−ｘＢａｘＣｏＯ３系複酸化物及びＳｍ１−ｘＳｒｘＣｏＯ３系複酸化物等）が挙げられる。
【００３４】
燃料極１５８の材料としては，例えば，Ｎｉ及びＦｅ等の金属と，Ｓｃ，Ｙ等の希土類元素のうちの少なくとも１種により安定化されたジルコニア等のＺｒＯ２系セラミック，ＣｅＯ２系セラミック等のセラミックのうちの少なくとも１種との混合物などが挙げられる。また，Ｐｔ，Ａｕ，Ａｇ，Ｐｄ，Ｉｒ，Ｒｕ，Ｒｈ，Ｎｉ及びＦｅ等の金属が挙げられる。これらの金属は１種のみでもよいし，２種以上の金属の合金でもよい。更に，これらの金属及び／又は合金と，上記セラミックの各々の少なくとも１種との混合物（サーメットを含む）が挙げられる。また，Ｎｉ及びＦｅ等の金属の酸化物と，上記セラミックの各々の少なくとも１種との混合物などが挙げられる。
【００３５】
燃料電池セル１５０は，その外周縁部に枠部１６０を有する。枠部１６０は，インターコネクタ１５１，１５２（の外周縁部），空気極フレーム１６１，絶縁フレーム１６２，セパレータ１６３（の外周縁部），燃料極フレーム１６４から構成される。空気極フレーム１６１，絶縁フレーム１６２，セパレータ１６３，燃料極フレーム１６４は，いずれも四角枠状であり，セラミックス製の絶縁フレーム１６２を除き，金属製である。セパレータ１６３は，セル本体１５３に接合され，空気流路１５４，燃料ガス流路１５５間でのガスの移動を遮断する。
【００３６】
枠部１６０に，前述の貫通孔１１１〜１１８に対応する貫通孔が形成される。図３では，貫通孔１１２，１１４の断面を図示している。貫通孔１１４を通じて，補助器２００から燃料ガス流路１５５に改質された燃料ガスが流入する。貫通孔１１２を通じて，燃料ガス流路１５５から補助器２００に発電後の燃料ガスが流出する。
【００３７】
以下，補助器２００の概略を説明する。
図３に示すように，補助器２００は，混合器２１，改質器２２，燃焼器２３（燃焼室２３ａ，２３ｂ）を有し，第１層２１０〜第３層２３０に区分される。混合器２１，改質器２２はそれぞれ，第１層２１０および第２層２２０に配置される。燃焼器２３中，燃焼室２３ａは第１層２１０〜第３層２３０に，燃焼室２３ｂは第３層２３０に配置される。なお，混合器２１は，本発明の補助部を構成するものである。
【００３８】
改質器２２の上下それぞれに，混合器２１，燃焼室２３ｂが配置され，改質器２２の側部に燃焼室２３ａが配置される。即ち，混合器２１，燃焼器２３（燃焼室２３ａ，２３ｂ）は，改質器２２をその上下面および１の側面で囲うように，配置される。
【００３９】
後述するように，改質器２２は，対向する第１，第２の板部材（後述の仕切板２０７，２０８）と，これら第１，第２の板部材を接続する複数の第３の板部材（側板２０３〜２０５，仕切板２２１）と，で形成される空間内で燃料ガスを改質する。
【００４０】
混合器２１は，第１の板部材（仕切板２０７）の上に（仕切板２０７に接触して）配置され，改質された燃料ガスによる発電後の残余の燃料ガスと，発電後の残余の酸化剤ガスと，を混合して混合ガスを生成する。但し，混合器２１を仕切板２０７に直接接触させず，仕切板２０７に沿って配置しても良い。
【００４１】
燃焼室２３ａ，２３ｂはそれぞれ，一の第３の板部材（仕切板２２１）および第２の板部材（仕切板２０８）上に（仕切板２２１，２０８に接触して）配置される。但し，燃焼室２３ａ，２３ｂをそれぞれ，仕切板２２１，２０８に直接接触させず，仕切板２２１，２０８に沿って配置しても良い。
【００４２】
燃料電池スタック１００から発生する，残余の燃料ガス（アノード排ガス）Ｇ０２，残余の酸化剤（カソード排ガス）Ｇ１２は混合器２１に流入し，混合される。残余の燃料ガスＧ０２は，燃料電池スタック１００の貫通孔１１２，後述の部材２６０の貫通孔２６４および連通孔２６５を経由して，混合器２１に流入する。残余の酸化剤ガスＧ１２は，燃料電池スタック１００の貫通孔１１３，後述の部材２７０の貫通孔２７４および連通孔２７５を経由して，混合器２１に流入する。
【００４３】
混合器２１で混合された残余の燃料ガスおよび残余の酸化剤（混合ガスＧ２）は，燃焼器２３（燃焼室２３ａ，２３ｂ）中の燃料用触媒により燃焼する。燃焼した混合ガスは配管２９３から排ガスＧ３として排出される。なお，混合器２１（特に，後述する合流室２１ｃ）にある混合されたガスは，発火点以上の温度であれば，混合器２１（合流室２１ｃ）において燃焼することもできる（いわゆる火焔燃焼）。
【００４４】
改質器２２には，改質用の触媒が充填され，燃料ガスを改質する。燃料ガスＧ００は配管２９１から改質器２２に流入し，改質された燃料ガスＧ０１は配管２９２，部材６０の配管６６，貫通孔６４，燃料電池スタック１００の貫通孔１１４を経由して，燃料電池スタック１００に流入し，発電に用いられる。
【００４５】
ここで，燃焼器２３での燃焼で発生した熱は，熱交換により改質器２２に移行し，改質を促進するために用いられる。改質器２２の側面と下面に燃焼室２３ａ，２３ｂが配置されていることから，燃焼器２３から改質器２２に効率的に熱が移行する。
【００４６】
以下，図２，図５〜図８に基づき，補助器２００の詳細を説明する。図５は，補助器２００の上面図である。図６〜図８はそれぞれ，補助器２００の上板２０１，仕切板２０７，２０８を除外して，補助器２００の第１層２１０〜第３層２３０の内部を表した斜視図である。
【００４７】
補助器２００は，上板２０１，底板２０２，側板２０３〜２０６，仕切板２０７，２０８を有する。上板２０１，底板２０２，側板２０３〜２０６は，補助器２００の内部と外部とを隔て，略直方体形状の空間を形成する。この空間は，仕切板２０７，２０８によって，上から順に，第１層２１０〜第３層２３０に仕切られる。
【００４８】
補助器２００の側板２０３〜２０５それぞれに部材（マニホールド）２５０〜２７０が接続される。部材２５０〜２７０はそれぞれ，平面状の上面２５１〜２７１，平面状の下面２５２〜２７２，曲面状の側面２５３〜２７３を有する。上面２５１〜２７１と下面２５２〜２７２の間に貫通孔２５４〜２７４が形成される。また，部材２６０，２７０は，貫通孔２６４〜２７４と第１層２１０の内部を連通する連通孔２６５，２７５を有する。
【００４９】
補助器２００の側板２０６に沿って，貫通孔１１４の底面１０２側に，部材６０が配置される。部材６０は，略円筒形状であり，平面状の上面６１，平面状の下面６２，曲面状の側面６３を有する。上面６１と下面６２の間に貫通孔６４が形成され，側面６３に貫通孔６４と連通する配管６６が接続される。
【００５０】
補助器２００には配管２９１〜２９３が接続される。
配管２９２，部材６０間に，部材７０が接続され，補助器２００から燃料電池スタック１００への改質された燃料ガスの供給が可能となる。部材７０は，部材７１，７２を有する。
部材７１は，互いに連通する中空を有し，互いに直角に配置される継ぎ手７３，７４を有する。
部材７２は，互いに連通する中空を有し，互いに直角に配置される配管７５，継ぎ手７６を有する。
【００５１】
継ぎ手７３，７４，７６は，配管２９２，７５，６６に締め込まれ，接続される。ここで，締め込みが完了するまで，部材７１，７２，６０はそれぞれ，回転および移動が可能である。
【００５２】
図２，図３に示すように，貫通孔１１１〜１１４それぞれに対応して，燃料電池スタック１００と，補助器２００の間に，封止部材８１および位置決め部材８２が配置される。
【００５３】
封止部材（シール用パッキン）８１は，例えば，リング形状マイカであり，ボルト４１〜４４にナット５１〜５４を締め込むことで，燃料電池スタック１００の底面１０２と部材６０，２５０〜２７０の上面６１，２５１〜２７１間を気密に封止される。
【００５４】
位置決め部材８２は，例えば，セラミック（アルミナ等）製のリングであり，燃料電池スタック１００の貫通孔１１１〜１１４と部材６０，２５０〜２７０の貫通孔６４，２５４〜２７４の軸が一致するように，燃料電池スタック１００と部材６０，２５０〜２７０を保持する。
【００５５】
燃料電池スタック１００の底面１０２には，貫通孔１１１〜１１４に対応するリング状の凹部が形成される。また，部材６０，２５０〜２７０の上面６１，２５１〜２７１には，貫通孔６４，２５４〜２７４に対応するリング状の凹部が形成される。位置決め部材８２の両端がこれらの凹部に挿入されることで，燃料電池スタック１００の貫通孔１１１〜１１４と部材６０，２５０〜２７０の貫通孔６４，２５４〜２７４の軸が一致するようになる。
【００５６】
図６に示すように，第１層２１０は仕切板２１１〜２１６で仕切られている。仕切板２１６には，網が配置された開口２１７，２１８を有する。
【００５７】
第１層２１０に，混合器２１，および燃焼器２３の一部（燃焼室２３ａの一部）が配置される。
混合器２１は，改質された燃料ガスによる発電後の残余の燃料ガスと，発電後の残余の酸化剤ガスと，を混合して混合ガスを生成するものであり，上板２０１，側板２０３〜２０５，仕切板２０７，２１１，２１５，２１６から構成される。
混合器２１は，流路２１ａ，２１ｂ，合流室２１ｃ，調整室２１ｄを有する。なお，合流室２１ｃは，本発明の補助室を構成するものである。
【００５８】
流路２１ａは，残余の燃料ガスを流す第１の流路であり，上板２０１，側板２０４，２０５，仕切板２０７，２１１〜２１３で構成される。
流路２１ｂは，残余の酸化剤ガスを流す第２の流路であり，上板２０１，側板２０５，仕切板２０７，２１３，２１４で構成される。
【００５９】
合流室２１ｃは，流路２１ａ，２１ｂに接続され，流路２１ａ，２１ｂから互いに沿って流入する残余の燃料ガスおよび残余の酸化剤ガスを合流させて，混合ガスを生成する合流室であり，上板２０１，側板２０３，仕切板２０７，２１２，２１４，２１５で構成される。
【００６０】
仕切板２１３の端部と，仕切板２１２および２１４それぞれの間に流路２１ａ，２１ｂそれぞれから合流室２１ｃへの流入部Ｉ１，Ｉ２が構成される。仕切板２１４の端部と側板２０３の間に，合流室２１ｃから調整室２１ｄへの流出部Ｏ１が構成される。
【００６１】
調整室２１ｄは，上板２０１，側板２０３，２０５，仕切板２０７，２１４，２１５で構成される。
開口２１７，２１８は，調整室２１ｄから燃焼器２３への混合ガスの流出部Ｏ２である。
【００６２】
部材２６０から連通孔２６５を通じて，残余の燃料ガスが流路２１ａに流入し，仕切板２１２に沿ってＹ方向に進む。その後，側板２０５および仕切板２１３によってＸ方向および−Ｙ方向に向きを変えて，流入部Ｉ１から合流室２１ｃに流入する。
部材２７０から連通孔２７５を通じて，残余の酸化剤ガスが流路２１ｂに流入し，仕切板２１３，２１４に沿って−Ｙ方向に進み，流入部Ｉ２から合流室２１ｃに流入する。
【００６３】
このように，流入部Ｉ１，Ｉ２から合流室２１ｃに互いに沿った方向（例えば，互いに平行）に残余の燃料ガスおよび残余の酸化剤ガスが流入し，合流室２１ｃ内で合流し，残余の燃料ガスおよび残余の酸化剤ガスが混合した混合ガスが生成される。
【００６４】
ここで，流路２１ａの幅（仕切板２１２，２１３の間隔）が流路２１ｂの幅（仕切板２１３，２１４の間隔）より小さい。流路２１ａから流入する残余の燃料ガスの流量は，流路２１ｂから流入する残余の酸化剤ガスの流量より小さいことから，流路２１ａ，２１ｂそれぞれから流入する残余の燃料ガスおよび残余の酸化剤ガスの流速を対応させるためである（流速の調節）。流路２１ａ，２１ｂそれぞれから合流室２１ｃに流入するガスの流速を対応させることで，合流室２１ｃでのガスの混合が促進される。
【００６５】
流入部Ｉ１，Ｉ２から合流室２１ｃに流入する残余の燃料ガスおよび残余の酸化剤ガス（特に残余の燃料ガス）は，仕切板２１５に反射されて，流出部Ｏ１に向かう方向に流れが転換される。即ち，仕切板２１５は，流入部Ｉ１，Ｉ２から流入する残余の燃料ガスおよび残余の酸化剤ガスと，を反射して，流出部Ｏ１に向かう方向に，流れる方向を転換させる反射壁として機能する。この結果，残余の燃料ガスおよび残余の酸化剤ガスの混合が促進される。
【００６６】
合流室２１ｃで生成された混合ガスは流出部Ｏ１から調整室２１ｄに流入し，流出部Ｏ２から燃焼室２３ａに流入する。
ここで，流出部Ｏ２の開口２１８は開口２１８より流出部Ｏ１から遠く，開口２１８は開口２１８より開口が大きい。流出部Ｏ２の開口の大きさを流出部Ｏ１からの距離に応じて段階的に変化させることで，調整室２１ｄから燃焼室２３ａに流入する混合ガスの流量の均一化を図っている。即ち，混合ガスが燃焼室２３ａの特定部位に集中して，燃焼用触媒が局所的に消耗することを防止している。仕切板２６１中で開口２１７，２１８が形成されていない領域は，調整室２１ｄから燃焼室２３ａへの混合ガスの流出を制限し，流量の均一化を図る邪魔部材として機能する。
【００６７】
ここでは，仕切板２６１に２つの開口２１７，２１８を形成しているが，開口の数を３つ以上としても良い。この場合，３つ以上の開口の大きさが，流出部Ｏ１からの距離に応じて，段階的に変化する。
また，流出部Ｏ２の開口の大きさが，流出部Ｏ１からの距離に応じて，連続的に変化しても良い。
【００６８】
図７に示すように，第２層２２０は仕切板２２１〜２２４で仕切られている。仕切板２２１には，配管２９１，２９２と連通する開口２２６，２２７を有する。開口２２６，２２７に対向して網２２８，２２９が配置される。
【００６９】
第２層２２０に，燃焼器２３の一部（燃焼室２３ａの一部）および改質器２２が配置される。
改質器２２は，燃料ガスを改質して改質ガスを生成するものであり，側板２０３〜２０５，仕切板２０７，２０８，２２１，およびこの空間内に充填される改質用の触媒から構成される。
【００７０】
改質用の触媒は，燃料ガスの改質，即ち燃料ガスを水素リッチの燃料ガスに改質するためのものであり，例えば微粒の金属ニッケルとセラミックス粉末のプレス体や，アルミナなどの耐熱性の高い多孔体上に金属ニッケルを担持した触媒である。  
【００７１】
配管２９１，開口２２６から改質器２２内に燃料ガスが流入する。燃料ガスは，改質器２２内で仕切板２２２〜２２４により蛇行して進み，触媒によって改質される。改質された燃料ガスは，開口２２７，配管２９２，部材７０，６０を経て，燃料電池スタック１００に流入する。
【００７２】
図８に示すように，第３層２３０は仕切板２３１〜２３４で仕切られている。第３層２３０において側板２０５に，突出部２４０の内部と連通し，網を有する開口２３５が配置される。
【００７３】
第３層２３０に，燃焼器２３の一部（燃焼室２３ａの一部および燃焼室２３ｂ）が配置される。
燃焼器２３は，混合ガスを燃焼するものであり，燃焼室２３ａ，２３ｂに区分される。
燃焼室２３ａは，第１層２１０〜第３層２３０に配置され，上板２０１，底板２０２，側板２０３，２０５，２０６，仕切板２１６，２２１，２３１で構成される。燃焼室２３ｂは，第３層２３０に配置され，底板２０２，側板２０３，２０５，仕切板２０８，２３１で構成され，仕切板２３２〜２３４で仕切られる。
燃焼室２３ａ，２３ｂは，側板２０５，仕切板２３１間に構成される開口Ｏ３で連通している。
【００７４】
第３層２３０において，側板２０６に突出部２４０が接続される。突出部２４０は，上板，底板，３つの側板を有し，配管２９３と接続される。既述のように，突出部２４０は，開口２３５によって，燃焼室２３ｂと連通する。
【００７５】
開口２１７，２１８から燃焼室２３ａ，２３ｂに順に混合ガスが流入する。混合ガスは，燃焼室２３ａ内で−Ｚ方向に進み，燃焼室２３ｂに流入する。燃焼室２３ｂ内で仕切板２３２〜２３４により蛇行して進む。燃焼室２３ａ，２３ｂ内の燃焼用触媒によって混合ガスが燃焼，発熱する。燃焼した混合ガスは開口２３５，配管２９３を経て，外部に排出される。
【００７６】
燃焼用触媒としては，白金，ロジウム，パラジウムなどの貴金属触媒を採用できるが，ペロブスカイト酸化物などを用いると，耐熱性や長期耐久性が向上するので好ましい。燃焼用触媒の担体としては，一般的なコージエライトのハニカム担体や，自動車用の排ガス処理触媒の担体として用いられるフェライト系ステンレスも使用可能である。特に起動性を重視する場合には，金属担体の方が，熱伝導性や耐熱衝撃性に優れている。但し，高温での耐久性という点では，セラミックス担体が有利であり，要求により使い分けることが望ましい。
【００７７】
発熱体３００は，起動時に補助器２００を加熱するためのたとえば平面燃焼型ガスバーナーである。起動時において，補助器２００内の触媒の速やかな活性化を可能とする。
【００７８】
本実施形態では，燃焼室２３ａによって，補助器２００内での鉛直方向（−Ｚ方向）のガス移動を図っている。即ち，補助器２００内での鉛直方向のガスの流路にボルト穴を用いていないことから，鉛直方向のガス移動がボトルネックにならなくなったことにより圧力損失が低減する。
【００７９】
燃焼室２３ａが，改質器２２の側部に配置されることで，燃焼器２３全体としての能力も向上する。即ち，燃焼エネルギーを効率的に改質器２２に伝達することが可能となり，改質器２２としての能力も向上する。
【００８０】
以上のように，燃焼室２３ａは，補助器２００内での鉛直方向のガスの流路であると共に，改質器２２をその側部から加熱する加熱部である。この結果，改質器２２の上面側から底面側へと流通するガスの圧力損失を抑制できると共に，改質器２２に対する熱接触面積（排ガス燃焼熱の利用率）を向上できる。
【００８１】
（その他の実施形態）
本発明の実施形態は上記の実施形態に限られず拡張，変更可能であり，拡張，変更した実施形態も本発明の技術的範囲に含まれる。
【符号の説明】
【００８２】
１０…燃料電池システム，２０…固体酸化物形燃料電池，２１…混合器，２１ａ，２１ｂ…流路，２１ｃ…合流室，２１ｄ…調整室，２２…改質器，２３…燃焼器，２３ａ，２３ｂ…燃焼室，３０…制御部，４１-４８…ボルト，５１-５８…ナット，６０…部材，６１…上面，６２…下面，６３…側面，６４…貫通孔，６６…配管，７０…部材，７１，７２…部材，７３，７４，７６…継ぎ手，７５…配管，１００…燃料電池スタック，１０１…上面，１０２…底面，１１１-１１８…貫通孔，１２０…部材，１５０…燃料電池セル，１５１…インターコネクタ，１５３…セル本体，１５４…空気流路，１５５…燃料ガス流路，１５６…固体電解質体，１５７…空気極，１５８…燃料極，１５９…集電体，１６０…枠部，１６１…空気極フレーム，１６２…絶縁フレーム，１６３…セパレータ，１６４…燃料極フレーム，２００…補助器，２０１…上板，２０２…底板，２０３〜２０６…側板，２０７，２０８…仕切板，２１０…第１層，２１１-２１６…仕切板，２１７，２１８…開口，２２０…第２層，２２１-２２４…仕切板，２２６，２２７…開口，２２８，２２９…網，２３０…第３層，２３１-２３４…仕切板，２３５…開口，２４０…突出部，２５０-２７０…部材，２５１-２７１…上面，２５２-２７２…下面，２５３-２７３…側面，２５４-２７４…貫通孔，２６５，２７５…連通孔，２９１-２９３…配管，３００…発熱体
【図１】
0005448985.tif 000002
【図２】
0005448985.tif 000003
【図３】
0005448985.tif 000004
【図４】
0005448985.tif 000005
【図５】
0005448985.tif 000006
【図６】
0005448985.tif 000007
【図７】
0005448985.tif 000008
【図８】
0005448985.tif 000009